(57)【要約】【課題】上下風向板を薄肉の軽金属部材で形成し、左右両端のみで軸支することにより、吹出口の吹出し抵抗を低減し、効率良く送風することができ、低騒音化が図れる空気調和機を提供する。【解決手段】本体の上面に設けられた吸込口と、下面に設けられた吹出口と、これら吸込口と吹出口とを結ぶ空気通路に設けられた熱交換器および送風ファンと、吹出口に回動自在に軸支された上下風向板１０，１１  とを備えてなる空気調和機において、上下風向板１０，１１  を薄肉平板状の軽金属部材で形成され、その左右両端には支軸１２，１３  が設けられ、支軸１２，１３  は吹出口の両側壁に設けた軸孔に回動自在に軸支される。【選択図】  図２
2004218960.tif 000002
【特許請求の範囲】
【請求項１】
本体の上面に設けられた吸込口と、下面に設けられた吹出口と、これら吸込口と吹出口とを結ぶ空気通路に設けられた熱交換器および送風ファンと、前記吹出口に回動自在に軸支された上下風向板とを備えてなる空気調和機において、
前記上下風向板は薄肉平板状の軽金属部材で形成され、その左右両端には支軸が設けられ、同支軸は前記吹出口の両側壁に設けた軸孔に回動自在に軸支されてなることを特徴とする空気調和機。
【請求項２】
前記軽金属部材にアルミニウム、またはチクソモールディング法により射出成形されたマグネシウムもしくはマグネシウム合金を用いてなることを特徴とする請求項１に記載の空気調和機。
【請求項３】
前記上下風向板の左右両端に、同左右両端に嵌合する一対のキャップが被着され、同キャップに前記支軸が一体に形成されてなることを特徴とする請求項１に記載の空気調和機。
【発明の詳細な説明】
【０００１】
【発明の属する技術分野】
本発明は、空気調和機に係わり、より詳細には、吹出口の吹出し抵抗を低減し、効率良く送風することができ、低騒音化が図れる上下風向板の材質及び構造に関する。
【０００２】
【従来の技術】
従来の空気調和機には、例えば図４および図５で示すように、本体の上面に設けられた吸込口１と、下面に設けられた吹出口２と、これら吸込口１と吹出口２とを結ぶ空気通路に設けられた熱交換器３および送風ファン４と、前記吹出口２に設けられた上下風向板１２’，１３’  とからなる構成であった。
【０００３】
前記吹出口２には、風向を左右に偏向する左右風向板群５と、前記吹出口２をなすリヤガイダ２ａの前端部を構成し、駆動モータ７を連係して支軸部８により回動自在に支持されたディフューザ９と、同ディフューザ９の前部に設けられ、図示しない駆動モータを連係して、上下であって前後に離間した支軸部１０’  および１１’  と、前記吹出口２の上壁の略中央に前記上下風向板１２’，１３’  の略中央に備える軸１５’  を軸支する軸孔１６’  を備える支柱１７’  により樹脂製の上下二枚の上下風向板１２’  および１３’  を、回動自在に軸支し、停止時に、前記二枚の上下風向板１２’  および１３’  が前記吹出口２を閉じるように構成され、被空気調和室に吹き出される空気を、ユーザが希望する所定の方向に効率よく偏向させて効果的な空気調和を実現できるようになっている。
【０００４】
上記構成により、例えば冷房運転時には、図４の実線で示すように前記上下風向板１２’  および１３’  を略水平位置に回動して、前記送風ファン４により前記吸込口１から吸い込まれ前記熱交換器３で熱交換された冷気を前記吹出口２に送出する。または、例えば暖房運転時には、図４の破線で示すように前記上下風向板１２’  および１３’  を下方に回動して、前記送風ファン４により前記吸込口１から吸い込まれ前記熱交換器３で熱交換された暖気を前記吹出口２に送出する。
【０００５】
しかしながら、上記従来の上下風向板１２’  および１３’  は、樹脂成形品のため板厚が成形上の制約から２〜３．５ｍｍ  と厚く、また吹出口２の中央に支柱１７’  が設けられているため、吹出し抵抗を増大させ送風効率を悪くしていた。
【０００６】
そこで、吹出口の外縁の上下のみに水平羽根を取付け、吹出口によって形成される風通路内に水平羽根を設けないことによって、風通路を流れる空気を滑らかに流し、騒音を低減すると共に吹出口から吹出される空気の圧力損失を低減するものがある（例えば、特許文献１参照。）。
しかし、上記の場合、吹出口の中央部に水平羽根がないため、中央部付近の風は常に斜め下方にのみ吹出され、冷房運転時の水平方向や暖房運転時の下方に効率よく偏向させることができなくなって、効果的な空気調和を実現できないという問題点を有している。
【０００７】
【特許文献１】
特開２０００−１７１０８８号公報（第２−３頁、第１図）
【０００８】
【発明が解決しようとする課題】
本発明は、上記問題点に鑑み、上下風向板を薄肉の軽金属部材で形成し、左右両端のみで軸支することにより、吹出口の吹出し抵抗を低減し、効率良く送風することができ、低騒音化が図れる空気調和機を提供することを目的とする。
【０００９】
【課題を解決するための手段】
本発明は、上記課題を解決するため、本体の上面に設けられた吸込口と、下面に設けられた吹出口と、これら吸込口と吹出口とを結ぶ空気通路に設けられた熱交換器および送風ファンと、前記吹出口に回動自在に軸支された上下風向板とを備えてなる空気調和機において、
前記上下風向板は薄肉平板状の軽金属部材で形成され、その左右両端には支軸が設けられ、同支軸は前記吹出口の両側壁に設けた軸孔に回動自在に軸支されてなる構成となっている。
【００１０】
また、前記軽金属部材にアルミニウム、またはチクソモールディング法により射出成形されたマグネシウムもしくはマグネシウム合金を用いてなる構成となっている。
【００１１】
また、前記上下風向板の左右両端に、同左右両端に嵌合する一対のキャップが被着され、同キャップに前記支軸が一体に形成されてなる構成となっている。
【００１２】
【発明の実施の形態】
以下、本発明の実施の形態を図面に基づいた実施例として詳細に説明する。
図１は本発明による空気調和機の断面図で、（Ａ）は冷房運転時の上下風向偏向板の状態を示すもので、（Ｂ）は暖房運転時の上下風向偏向板の状態を示すものである。図２は本発明による上下風向偏向板の一実施例を示す要部斜視図である。
【００１３】
図１（Ａ）で示すように、本体を構成する上部カバーの上面には吸込口１が設けられ、前端に行くにしたがって上方に湾曲させた下部カバーの下面には吹出口２が設けられている。
前記吸込口１と、前記吹出口２とを結ぶ空気通路には、熱交換器３および送風ファン４が順次設けられており、同送風ファン４により、前記吸込口１から吸い込まれ前記熱交換器３で熱交換された空気が前記吹出口２に送出されるようになっている。
【００１４】
前記吹出口２には、風向を左右に偏向する左右風向板群５と、前記吹出口２をなすリヤガイダ２ａの前端部を構成し、駆動モータ７を連係して支軸部８により回動自在に支持されたディフューザ９と、同ディフューザ９の前部に設けられ、図示しない駆動モータを連係して、上下であって前後に離間した支軸１０および１１により上下二枚の上下風向板１２および１３を、前記吹出口の両側壁に設けた軸孔で回動自在に軸支し、停止時に、前記二枚の上下風向板１２および１３が前記吹出口２を閉じるように構成され、被空気調和室に吹き出される空気を、ユーザが希望する所定の方向に効率よく偏向させて効果的な空気調和を実現できるようになっている。
【００１５】
図２に示すように、前記上下風向板１２および１３は、押出しまたはプレス加工により形成したアルミニウム、または高温で溶融し、金型により射出成形するチクソモールディング法により成形されたマグネシウムもしくはマグネシウム合金などの薄肉平板状（板厚が約１ｍｍ）の軽金属部材から構成されている。前記上下風向板１２および１３の左右両端にリブａを一体に設け、同リブａに支軸１０および１１が設けられ、前記吹出口２の左右両側壁に設けられた軸孔で回動自在に軸支されてなる構成となっている。
尚、アルミニウムやマグネシウムは軽いので駆動用モータの必要トルクを下げることができ、コストダウンを図ることができる
【００１６】
図３は本発明による他の実施例を示したもので、薄肉平板状の上下風向板１２ａ（１３ａ）の左右両側に、同左右両側に嵌合する一対の樹脂製のキャップ１４を別体で設け、同キャップ１４にリブｂと支軸１０ａ（１１ａ）を一体に形成してなる構成となっている。
前記上下風向板１２ａ（１３ａ）を押出し品をカットして形成した場合、前記キャップ１４により、切断面のエッジの保護や錆の保護をすることができる。
また、プレス品の前記上下風向板１２ａ（１３ａ）の場合、比較的安価で容易に支軸１０ａ（１１ａ）を設けることができる。
【００１７】
上記構成により、例えば冷房運転時には、図１（Ａ）で示すように前記上下風向板１２および１３を略水平位置に回動して、前記送風ファン４により前記吸込口１から吸い込まれ前記熱交換器３で熱交換された冷気を前記吹出口２に送出し、前記上下風向板１２および１３で略水平方向に偏向させながら被空気調和室に吹き出すようにし、被空気調和室全体に前記冷気を行き届かせて効果的な空気調和を実現していた。
【００１８】
または、例えば暖房運転時には、図１（Ｂ）で示すように前記上下風向板１２、１３および前記ディフューザ９の先端位置を夫々下方に回動して、前記送風ファン４により前記吸込口１から吸い込まれ前記熱交換器３で熱交換された暖気を前記吹出口２に送出し、前記上下風向板１２、１３および前記ディフューザ９で下方に偏向させながら被空気調和室に吹き出すようにし、被空気調和室の床面上に前記暖気を行き届かせて効果的な空気調和を実現していた。
【００１９】
以上説明したように、前記上下風向板１２および１３をアルミニウム、またはマグネシウムもしくはマグネシウム合金などの薄肉平板状（板厚が約１ｍｍ）の軽金属部材で形成すると共に、吹出口２の中央部の支柱を削除し、左右両端のみで軸支することにより、強度を確保した上で、吹出口の吹出し抵抗を低減し、効率良く送風することができ、低騒音化が図れ、また、アルミニウムやマグネシウムは軽いので駆動用モータの必要トルクを下げることができ、コストダウンを図ることができる空気調和機となる。
【００２０】
【発明の効果】
以上のように本発明による空気調和機によれば、上下風向板をアルミニウム、またはマグネシウムもしくはマグネシウム合金などの薄肉平板状の軽金属部材で形成すると共に、吹出口中央部の支柱を削除し、左右両端のみで軸支することにより、強度を確保した上で、吹出口の吹出し抵抗を低減し、効率良く送風することができ、低騒音化が図れ、また、アルミニウムやマグネシウムは軽いので駆動用モータの必要トルクを下げることができ、コストダウンを図ることができる空気調和機となる。
【図面の簡単な説明】
【図１】本発明による空気調和機の断面図で、（Ａ）は冷房運転時の状態を示すもので、（Ｂ）は暖房運転時の状態を示すものである。
【図２】本発明による上下風向偏向板の要部斜視図である。
【図３】本発明による他の実施例を示す要部斜視図である。
【図４】従来例による空気調和機の断面図である。
【図５】従来例による上下風向偏向板の要部斜視図である。
【符号の説明】
１  吸込口
２  吹出口
３  熱交換器
４  送風ファン
５  左右風向板群
７  駆動モータ
８  支軸部
９  ディフューザ
１０，１１    支軸
１２，１３      上下風向板
１４  キャップ
ａ，ｂ  リブ
【図１】
2004218960.tif 000003
【図２】
2004218960.tif 000004
【図３】
2004218960.tif 000005
【図４】
2004218960.tif 000006
【図５】
2004218960.tif 000007